(57)【要約】【課題】光ディスク装置と接続され、光ディスクのデータや通信回線を介して受信したデータを、或いはそれを加工したデータを印刷、送信、或いは光ディスクへの書込みを行うことが可能な画像形成装置を提供する。【解決手段】装置全体を制御する制御部６と、光ディスク装置１０と、光ディスク装置１０に装填された光ディスクからデータを読み取るデータ入力部１２と、このデータを加工して処理するデータ処理手段１３と、画像データと文書データとを含むデータとそれを加工したデータを表示する表示手段５と、これらの処理に必要な操作を制御部６に入力する入力手段４と、データとそれを加工したデータとを記憶する内部記憶手段１４と、こうして記憶されたデータを選択する選択手段１５とを備え、選択されたデータを印刷したり、光ディスクに書き込んだり、ファックスやＥメールで送信する。【選択図】      図２
2004216678.tif 000002
【特許請求の範囲】
【請求項１】
入力されるデータに基づいて画像を画像形成部で形成して被記録媒体に出力する画像形成装置において、
装置全体を制御する制御部と、光ディスク装置と、該光ディスク装置に装填された光ディスクから前記データを読み取るデータ入力部と、前記データを加工して処理するデータ処理手段と、画像データと文書データとを含む前記データと加工したデータを表示する表示手段と、前記処理に必要な操作を制御部に入力する入力手段と、前記データと加工したデータとを記憶する内部記憶手段と、前記記憶されたデータを選択する選択手段とを備え、前記選択されたデータを印刷して出力することを特徴とする画像形成装置。
【請求項２】
外部とデータの送受信を行うファックスによる通信手段が付加されたことを特徴とする請求項１に記載の画像形成装置。
【請求項３】
外部とデータの送受信を行うインターネットによる通信手段が付加され、送受信の履歴が前記内部記憶手段に記憶されることを特徴とする請求項１または請求項２に記載の画像形成装置。
【請求項４】
前記光ディスク装置は、前記内部記憶手段に記憶された内容と前記通信手段により受信した内容を、前記選択手段で選択して、データ出力部を介して光ディスクに書込むことを特徴とする請求項２または請求項３に記載の画像形成装置。
【請求項５】
前記データは光ディスク装置から前記データ入力部を介して読み取った電子カタログであり、前記表示手段に該電子カタログに掲載される複数の商品を表示して、前記選択手段によりその商品の１つを選択することにより、選択された商品の購入申込みフォームが前記表示手段に表示され、印刷されることを特徴とする請求項１に記載の画像形成装置。
【請求項６】
前記データは光ディスク装置から前記データ入力部を介して読み取った電子カタログであり、前記表示手段に該電子カタログに掲載される複数の商品を表示して、前記選択手段によりその商品の１つを選択することにより、選択された商品の購入申込みフォームが前記表示手段に表示され、前記入力手段により該購入申込みフォームに入力が行われて、前記通信手段を介して伝送されることにより申し込みが行われることを特徴とする請求項２乃至請求項４のいずれかに記載の画像形成装置。
【請求項７】
前記受信した内容は、情報処理装置のアプリケーションソフトと音楽データと映像データと文書データとを含み、該文書データは選択手段により選択されて前記表示部に表示され、印刷されることを特徴とする請求項４に記載の画像形成装置。
【請求項８】
課金手段を有し、課金状態により不特定多数のユーザが利用できることを特徴とする請求項１乃至請求項７のいずれかに記載の画像形成装置。
【請求項９】
前記課金手段は通貨を投入するコインベンダであることを特徴とする請求項８に記載の画像形成装置。
【請求項１０】
前記課金手段はＩＣカード読取手段が接続でき、ＩＣカードにより課金が行われることを特徴とする請求項８または請求項９に記載の画像形成装置。
【請求項１１】
前記課金手段はプリペイドカード読取手段が接続でき、プリペイドカードにより課金が行われることを特徴とする請求項８乃至請求項１０のいずれかに記載の画像形成装置。
【発明の詳細な説明】
【０００１】
【発明の属する技術分野】
本発明は、光ディスク装置に記憶された情報を加工して、用紙に画像形成するとともに、通信回線を介して伝送する画像形成装置に関する。
【０００２】
【従来の技術】
従来、電子写真方式の複写機、ファクシミリ、プリンタ、或いはこれらの装置の機能が１台の装置に複合化された複合機などの画像形成装置では、原稿読取装置で原稿を画像情報として読み取り、その画像情報を画像形成部で再形成したり、或いは、電話回線などを通じてファックス画像情報として送受信したりする使用方法が一般的である。
【０００３】
また、画像情報を含む様々な情報を、通信回線などを経由して送受信することはパソコンなどの情報処理装置を利用して一般的に行われている。そのようなパソコンには、外部記憶装置としてハードディスク装置や光ディスク装置が接続され、画像情報を含む大量の情報を外部記憶装置から読み込んで、加工してプリンタでプリントしたり、ＬＡＮやインターネットのネットワークを経由して他の情報処理装置に伝送したりしている。書き込みができる光ディスク装置の場合は、さらに受信した情報やそれを加工した情報を光ディスクに書き込むことも一般的に行われている。
【０００４】
高度な電子技術と様々な通信形態の発達により、電話回線やＬＡＮ回線が接続される画像形成装置も利用されているが、電話回線を介してファックス通信を行ったり、画像形成装置の読み取り部をスキャナとしてイントラネットに接続された情報処理装置で共有するなどの限定された使い方が一般的である。
【０００５】
例えば、特許文献１では、ＣＤ−ＲＯＭ装置を内蔵した画像形成装置において、ＣＤ−ＲＯＭから画像データを読み出してビットマップデータに変換し、画像形成装置のコントローラに出力して用紙などに画像を形成することを提案している。また、特許文献２では、外部記憶装置として接続された光ディスク装置のデータに基づき画像形成装置が画像形成を行う場合、累積の画像形成部数をその光ディスクに記録し、さらに、光ディスクに記憶されている利用者識別ファイルに基づき、その利用を制限する方法を開示している。
【０００６】
【特許文献１】
特開平１０−１３８５５３号公報
【特許文献２】
特開平５−４１７７９号公報
【０００７】
【発明が解決しようとする課題】
しかし、特許文献１あるいは特許文献２による方法は、光ディスク装置から画像データを読み込んで、その画像データを用紙などに画像として形成することを基本としており、例えば前記した情報処理装置で行う様々な処理を可能としているものではない。また、光ディスクの情報を加工し、通信回線を利用して他の情報処理装置に伝送するものでもない。
【０００８】
本発明は、このような実状に鑑みなされたものであり、光ディスク装置と接続され、光ディスクのデータや通信回線を介して受信したデータを、或いはそれを加工したデータを印刷、送信、或いは光ディスクへの書込みを行うことが可能な画像形成装置を提供することを目的とするものである。
【０００９】
【課題を解決するための手段】
上記目的を達成するために、本発明では、入力されるデータに基づいて画像を画像形成部で形成して被記録媒体に出力する画像形成装置において、装置全体を制御する制御部と、光ディスク装置と、該光ディスク装置に装填された光ディスクから前記データを読み取るデータ入力部と、前記データを加工して処理するデータ処理手段と、画像データと文書データとを含む前記データと加工したデータを表示する表示手段と、前記処理に必要な操作を制御部に入力する入力手段と、前記データと加工したデータとを記憶する内部記憶手段と、前記記憶されたデータを選択する選択手段とを備え、前記選択されたデータを印刷して出力する構成である。
【００１０】
また、本発明では、前記画像形成装置に外部とデータの送受信を行うファックスやインターネットによる通信手段が付加されており、その送受信の履歴が内部記憶手段に記憶される。
【００１１】
前記光ディスク装置は、前記内部記憶手段に記憶された内容と前記通信手段により受信した内容を、前記選択手段で選択して、データ出力部を介して光ディスクに書込むことが可能な構成である。
【００１２】
さらに、前記データは光ディスク装置から前記データ入力部を介して読み取った電子カタログであり、前記表示手段に該電子カタログに掲載される複数の商品を表示して、前記選択手段によりその商品の１つを選択することにより、選択された商品の購入申込みフォームが前記表示手段に表示され、その印刷が可能である。或いは、入力手段を介して購入申込みフォームに入力を行い、前記通信手段を介して伝送することにより申し込みを行うことが可能な構成である。
【００１３】
また、前記受信した内容は、情報処理装置のアプリケーションソフトと音楽データと映像データと文書データとを含み、該文書データは選択手段により選択されて前記表示部に表示され、印刷される。
【００１４】
前記の画像形成装置は課金手段を有し、課金状態により不特定多数のユーザが利用でき、この課金手段は通貨を投入するコインベンダやＩＣカードやプリペイドカードである。
【００１５】
【発明の実施の形態】
以下、本発明の詳細を添付図に基づいて説明する。図１は、本発明に係る画像形成装置の概略図である。画像形成装置１は、例としてデジタル複写機であり、セットされた原稿を読み取る画像読取部２と、例えばテンキーなどを備えて操作に必要な入力を行う入力手段４と、操作に必要な情報やデータの一部または全部を表示する表示手段５と、画像形成装置１全体の制御を行う制御部６と、用紙などの被記録媒体を必要に応じて画像形成装置１の内部に給紙する給紙部７と、所定のデータから可視画像を形成して用紙に転写する画像形成部８と、画像が形成された用紙が排出される排紙トレイ９と、ＣＤやＣＤ−Ｒなどからデータを読込むための光ディスク装置１０などから構成される。また、入力手段４と表示手段５とで操作部３を構成する。
【００１６】
図２は、画像形成装置１の主要部の概略を示すブロック図である。画像形成装置１は、図１で示した構成要素の他に、光ディスク装置１０を画像形成装置１に電気的に且つ機能的に接続し、例えばＳＣＳＩ、ＩＤＥ、ＩＥＥＥ、ＵＳＢなどのインタフェースの役割を果たすと同時に、画像読取部２が読み取った画像データや、通信手段１７により受信したデータが入力されるデータ入力部１２とがある。
【００１７】
さらに、データ入力部１２を介して入力されるデータの加工や画像処理などを行うデータ処理手段１３が備わっている。内部記憶手段１４は、データ入力部１２を介して入力されるデータやデータ処理手段１３によって処理されたデータを記憶し、また、その他の処理の作業記憶領域の役割も果たす。選択手段１５は、表示手段５に表示される情報やデータの選択が必要な場合、表示内容上で必要な選択が簡単にできるようにタッチパネルなどで構成されており、選択された情報は入力手段４による入力と同じように、データ処理手段１３や他の必要な箇所に伝達される。
【００１８】
光ディスク装置１０が書き込み可能な装置である場合は、データ出力部１６がデータ入力部１２と同じ光ディスク用のインタフェースを備えており、一旦内部記憶手段１４に記憶されたデータは、データ出力部１６を経由して光ディスク装置１０に装填された書き込み可能なメディアに書き込むことが可能である。
【００１９】
図示しない外部とデータの送受信を行う場合は、図２のようにデータ入力部１２とデータ出力部１６に通信手段１７が接続される。この場合、通信手段１７を経由して外部から入力するデータは、データ入力部１２を経由して内部記憶手段１４に記憶される。また外部へ出力されるデータは、内部記憶手段１４から一旦データ出力部１６に渡されて、通信手段１７を経由して外部に出力される。通信手段１７が備える物理的な接続形態としては、一般公衆電話回線やＬＡＮ接続がある。これらの接続形態を通して、ファックス、インターネット、或いはイントラネットなどによる送受信が可能である。
【００２０】
また、前記表示手段５は、一般的な画像形成装置の操作に係る表示のほかに、情報処理装置で利用されているＪＰＥＧ、ＧＩＦ、ＴＩＦ、ＢＭＰ形式などの画像や、ＴＸＴ、ＨＴＭＬ、ＰＤＦ形式などの文書が表示可能な画像・文書ビューワとインターネットブラウザーを備えており、光ディスク装置１０に装填されたＣＤ−ＲＯＭや、内部記憶手段１４に記憶されたファックス、画像、文書ファイルの閲覧や表示が簡単に行えるようになっている。
【００２１】
以上のような画像形成装置１における実際の使用例を図３〜図５を参照して説明する。図３（ａ）は、光ディスク装置１０に装填されたＣＤ−ＲＯＭに格納されている画像や文書ファイルを一覧・選択・表示・出力する手順を示す図であり、図３（ｂ）は、表示されたファイルの操作を示す図である。
【００２２】
なお、図３（ａ）で示す表示手段５による表示画面は、通常、メニュー画面を経由して表示されるが、この過程の説明は省略する。表示手段５により表示される図示しないメニュー画面から、この例の場合は、ＣＤ−ＲＯＭを読込み元として指定すると、ファイルの一覧表示画面５ａが表示される。一覧表示画面５ａの上部には、ファイルの読込み元表示部２０に光ディスクと表示され、一覧画面表示部２１には、光ディスクに格納されているファイル番号、ファイル名、ファイル容量などが表示される。また、一覧表示画面５ａの下部には、選択したファイルの内容を表示する表示ボタン２２と、ファイル内容の出力先を選択する出力先選択ボタン２４と、選択された出力先に出力を実行する出力ボタン２３とが配置されている。
【００２３】
表示手段５とタッチパネルで構成された選択手段１５とにより、一覧表示画面５ａ上で例えば、ファイル番号１の画像１．ＪＰＧを選択すると、選択されたファイルがハイライト表示される（図では枠囲み）。また、通常、出力先選択ボタン２４は初期設定として印刷が選択されておりハイライト表示されている（図では太枠）ので、出力ボタン２３を押すと、画像１．ＪＰＧの内容が画像形成装置１によって印刷される。
【００２４】
画像形成装置１に通信手段１７が付加されている場合（図２参照）、接続可能な通信形態により、ファックスまたはＥメール、或いはその両方が出力先選択ボタンとして表示されるので、印刷の代わりに、ファックスまたはＥメールを出力先として選択すれば、出力ボタン２３を押すことにより、画像１．ＪＰＧをファックスで、或いはＥメールの添付ファイルとして送信できる。ファックス或いはＥメールで送信を行う場合、出力ボタンを押すと、送信先の選択画面が表示されて送信先を選択したり、或いは入力することができるようになっている。
【００２５】
表示ボタン２２を押すことにより、図３（ｂ）に示す詳細画面５ｂにファイル内容表示部２５が表示され、画像１．ＪＰＧの内容が表示される。詳細画面５ｂの下部には表示された内容を左または右にスクロールして移動する水平スクロール部２６と、右部には上下にスクロールして移動する垂直スクロール部２７とがあり、必要に応じて表示内容を移動するとよい。さらに詳細画面５ｂの下部には表示内容を拡大・縮小する、拡大ボタン２８と縮小ボタン２９とがあるので、必要に応じて操作する。また、編集ボタン３０が備わっており、編集ボタン３０を押すと、画像ファイルの場合は画像編集画面に移行し、文書ファイルの場合は文書編集画面に移行するが、その操作例は一般の情報処理装置で使用されるものと類似するので説明は省略する。
【００２６】
上記のようにして内容の確認あるいは編集をおこなって、戻るボタン３１を押せば、図３（ａ）の一覧表示画面５ａに戻るので、例えば編集後のファイルを、必要な出力先に出力することができる。また、前記出力選択ボタン２４で選択された出力先に出力が行われる場合、その出力の良否や履歴が内部記憶手段１４に記憶されるようにしてもよい。このようにすると、ファックスやＥメールによる送信の履歴が記憶され、必要に応じて後ほど参照することが可能となる。
【００２７】
また、図示して詳細な説明は行わないが、ファックスやＥメールを画像形成装置１が受信した場合も、そのデータや履歴がファイルとして内部記憶手段１４に記憶されるので、受信内容や受信履歴の一覧および内容参照は、図３（ａ）と（ｂ）に基づき説明したように、ファイル読込み元表示部２０に内部記憶手段１４を指定することにより同様に行うことができる。
【００２８】
図３（ａ）のファイルの一覧表示画面５ａで、出力先選択ボタンで光ディスクを選択している場合は、一覧画面表示部２１で選択しているファイルを光ディスク装置１０に書き込むことが可能である。この場合、そのファイルが内部記憶手段１４に記憶されているものであれば、書込み可能な光ディスクが光ディスク装置１０に装填されているかの検証が自動的に行われ、装填されている場合は書込みが行われ、装填されていない場合は、書き込み可能な光ディスクを装填する旨のメッセージが一覧画面表示部２１内にポップアップメッセージとして表示され、図示しない確認ボタンを押すと光ディスクの再検証が行われて、装填確認後、書込みが行われる。また、書き込もうとするファイルがファイル読込み元表示部２０で指定されている光ディスク上のものであれば、画像形成装置１は、そのファイルを一旦内部記憶手段１４に読み込み、光ディスクを排出した後、前述したように、書き込み可能な新たな光ディスクを装填する旨のメッセージを表示して、書込み可能な光ディスクの装填が確認された後に書込みを行う。
【００２９】
次の例として、光ディスクが通販などで利用される商品カタログを含んでいる場合を説明する。図４は、光ディスク形態の商品カタログを光ディスク装置１０に装填した場合、表示手段５に表示される画面であり、（ａ）は一覧画面を、（ｂ）は記入画面を、（ｃ）は出力画面を示す。
【００３０】
光ディスク装置１０に光ディスク形態の商品カタログを装填すると、一覧画面５ｃが表示される。商品一覧表示部４０に表示される商品１つを選択手段１５であるタッチパネルで選択し、記入ボタン４３を押すと、図４（ｂ）の記入画面５ｄに進む。また、商品一覧が全部表示できない場合は、次ページボタン４２を押すと次のページの商品一覧が表示される。前のページに戻る場合は、前ページボタン４１を押す。
【００３１】
図４（ｂ）の記入画面５ｄで、申し込み事項入力画面４５に氏名、住所などを文字入力部４６を介して入力し、処理ボタン４７を押すと、必要事項が検証されて次の出力画面５ｅに進む。申し込み事項が正しく入力されていない場合は、図示しないポップアップメッセージが申し込み事項入力画面４５内に表示されて修正を促す。
【００３２】
図４（ｃ）の出力画面５ｅで、選択した商品の申込みを出力する。この場合、印刷ボタン５１で印刷を選択して出力ボタン５４を押すと、選択している商品の申込みフォームが内部記憶手段１４により一旦取り込まれて、画像形成装置１によって印刷されるので、実際に申込みの送信を行う前に確認を行ったり、申込みの控えコピーとして利用できる。実際に申込みを行う場合は、出力先（送信先）として、ファックスかＥメールかのいずれかを、それぞれファックスボタン５２或いはＥメールボタン５３を選択して出力ボタン５４を押すことにより、その内容が内部記憶手段１４により一旦取り込まれて、ファックス或いはＥメールを介して送信できる。この場合、ファックス番号やＥメールアドレスが、商品カタログである光ディスクに記憶されている場合は、そのデータが読み込まれており、自動的に送信先として登録されるので、新たに送信先を入力する必要はない。そのデータが光ディスクに記憶されていない場合は、送信先の入力を促す画面が表示されるので、送信先を新たに入力すれば同様に申込みの送信が行われる。
【００３３】
本発明に係る画像形成装置１を利用すれば、商品カタログの代わりに、懸賞などの応募ができるようになっている光ディスクであっても、図４に基づいて説明した手順と同様にして、懸賞などの応募が行うことが可能である。
【００３４】
また、表示手段５にＨＴＭＬ形式のインターネットブラウザーが備わっているので、インターネットなどで配信されるＭＰ３やＭＩＤＩなどの音楽データや、ゲームなどのアプリケーションもファイルとして受信、一覧表示、出力が可能であり、受信後、図３に基づいて説明した手順に従い、これらの音楽データやアプリケーションをそれぞれ１つのファイルとして扱えば、同様に光ディスクを出力先として書き込むことが可能であり、出力先にＥメールを選択すれば、Ｅメールに添付して送信することもできる。さらに、説明書なども、ＴＸＴやＨＴＭＬ、あるいはＰＤＦ形式のデータとしてインターネット上で供給されることが多く、画像形成装置１により一旦受信した後、同様に、印刷やＥメール送信が可能である。
【００３５】
図５は、本発明に係る画像形成装置１に課金装置６０を接続した模式図である。このような課金装置６０を接続すると、不特定多数の利用者が、会議場やホテルやコンビニエンスストアで、これまで説明した画像形成装置１の機能を利用できる。このような課金装置として、紙幣やコインを投入するコインベンダーや、ＩＣカード読取装置が接続されたＩＣカード課金装置や、プリペイドカード読取装置が接続されたプリペイドカード課金装置、或いはそれらの組み合わせが可能である。
【００３６】
【発明の効果】
本発明では、本発明では、装置全体を制御する制御部と、光ディスク装置と、該光ディスク装置に装填された光ディスクから前記データを読み取るデータ入力部と、前記データを加工して処理するデータ処理手段と、画像データと文書データとを含む前記データと加工したデータを表示する表示手段と、前記処理に必要な操作を制御部に入力する入力手段と、前記データと加工したデータとを記憶する内部記憶手段と、前記記憶されたデータを選択する選択手段とを備え、前記選択されたデータを印刷して出力する構成であるため、情報処理装置やプリンタを使用しなくても光ディスクや内部記憶手段に記憶されているデータとそれを加工したデータの印刷が可能である。
【００３７】
また、本発明では、前記画像形成装置に外部とデータの送受信を行うファックスやインターネットによる通信手段が付加されており、その送受信の履歴が内部記憶手段に記憶されるため、上記のデータや加工したデータを印刷のみならず、遠隔地、或いはネットワーク接続された情報処理装置に伝送することが可能で、外部からのデータの受信も可能になる。
【００３８】
前記光ディスク装置は、前記内部記憶手段に記憶された内容と前記通信手段により受信した内容を、前記選択手段で選択して、データ出力部を介して光ディスクに書込むことが可能な構成であるため、内部記憶手段では消滅してしまう大事なデータも恒久的に記憶させておくことができる。
【００３９】
さらに、前記データは光ディスク装置から前記データ入力部を介して読み取った電子カタログであり、前記表示手段は該電子カタログに掲載される複数の商品を表示して前記選択手段によりその商品の１つを選択することにより、選択された商品の購入申込みフォームが前記表示手段に表示され、その印刷が可能である。或いは、入力手段を介して購入申込みフォームに入力を行い、前記通信手段を介して伝送することにより申し込みを行うことが可能である。
【００４０】
また、前記受信した内容は、情報処理装置のアプリケーションソフトと音楽データと映像データと文書データとを含み、該文書データは選択手段により選択されて前記表示部に表示され、印刷することができるため、必要な文書データを即座に印刷することが可能になる。
【００４１】
前記の画像形成装置は課金手段を有し、課金状態により不特定多数のユーザが利用でき、この課金手段は通貨を投入するコインベンダやＩＣカードやプリペイドカードであり、会議場、ホテル、集会場、またはコンビニエンスストアなどに設置することが可能であり、必要なときに様々な用途に利用できる。
【図面の簡単な説明】
【図１】本発明に係る画像形成装置の概略図である。
【図２】画像形成装置の主要部の概略を示すブロック図である。
【図３】（ａ）は、光ディスク装置に装填されたＣＤ−ＲＯＭに格納されている画像や文書ファイルを一覧・選択・表示・出力する手順を示す図であり、（ｂ）は、表示されたファイルの操作を示す図である。
【図４】光ディスク形態の商品カタログを光ディスク装置に装填した場合に表示手段５に表示される画面であり、（ａ）は一覧画面を、（ｂ）は記入画面を、（ｃ）は出力画面を示す。
【図５】本発明に係る画像形成装置に課金装置を接続した模式図である。
【符号の説明】
１    画像形成装置
２    画像読取部
３    操作部
４    入力手段
５    表示手段
５ａ  一覧表示画面
５ｂ  詳細画面
５ｃ  一覧画面
５ｄ  記入画面
５ｅ  出力画面
６    制御部
７    給紙部
８    画像形成部
９    排紙トレイ
１０  光ディスク装置
１２  データ入力部
１３  データ処理手段
１４  内部記憶手段
１５  選択手段
１６  データ出力部
１７  通信手段
２０  読込み元表示部
２１  一覧画面表示部
２２  表示ボタン
２３、５４  出力ボタン
２４  出力先選択ボタン
２５  ファイル内容表示部
２６  水平スクロール部
２７  垂直スクロール部
２８  拡大ボタン
２９  縮小ボタン
３０  編集ボタン
３１  戻るボタン
４０  商品一覧表示部
４１  前ページボタン
４２  次ページボタン
４３  記入ボタン
４５  申し込み事項入力画面
４６  文字入力部
４７  処理ボタン
５１  印刷ボタン
５２  ファックスボタン
５３  Ｅメールボタン
６０  課金装置
【図１】
2004216678.tif 000003
【図２】
2004216678.tif 000004
【図３】
2004216678.tif 000005
【図４】
2004216678.tif 000006
【図５】
2004216678.tif 000007